(57)【要約】【課題】各場所に点在する保護継電器の設定値確認、確認後の設定値設定のために監視者が保護継電器の設置現場に出向いて煩わしい操作をする必要がなく情報統括装置にて各保護継電器の設定値を一括表示できる。【解決手段】各所に配置された複数の保護継電器１，２，３，４の各々が情報統括装置６に接続され、これら複数の保護継電器１，２，３，４の設定値および故障関連情報が、前記情報統括装置６に一括表示される保護継電システム。【選択図】図１
2017022954.tif 000002
【特許請求の範囲】
【請求項１】
各所に配置された複数の保護継電器の各々が情報統括装置に接続され、これら複数の保護継電器の設定値および故障関連情報が、前記情報統括装置に一括表示される保護継電システム。
【請求項２】
請求項１に記載の保護継電システムおいて、事故発生時に前記保護継電器から事故波形の情報を前記情報統括装置に取り込み、前記事故波形の情報を比較表示することを特徴とする保護継電システム。
【請求項３】
請求項１または請求項２に記載の保護継電システムにおいて、前記情報統括装置は前記保護継電器のこれまでに実績のある整定値のデータベースに基づく推奨値と、実際の整定値とを、同じ画面に対比して表示することを特徴とする保護継電システム。
【発明の詳細な説明】
【技術分野】
【０００１】
この発明は、各場所に点在している汎用形保護継電器ごとに人間が現場に赴き管理していた設定値について情報統括装置を介して一括管理する保護継電システムに関するものである。
【背景技術】
【０００２】
従来の汎用形保護継電器の設定値管理については、汎用形保護継電器の設置現場にてユニット毎に設定値を管理していた。また、各設定値を表示して確認するためには操作ボタンを何回も押す煩雑な作業が必要であった。
【先行技術文献】
【特許文献】
【０００３】
【特許文献１】特開２００５−２６９８７０号公報
【発明の概要】
【発明が解決しようとする課題】
【０００４】
従来の汎用形保護継電器の設定値管理は、上述のように構成で上述のように設定値確認のために煩わしい操作をしなければならず、設定値の確認から設定値入力までの操作を簡単にする必要がある。
【０００５】
この発明は上記のような課題を解決するためになされたものであり、各所に点在する保護継電器の設定値確認、確認後の設定値設定のために監視者が保護継電器の設置現場に出向いて煩わしい操作をする必要がなく情報統括装置にて各保護継電器の設定値を一括表示できる保護継電システムを得ることを目的とする。
【課題を解決するための手段】
【０００６】
この発明に係る保護継電システムは、各所に配置された複数の保護継電器の各々が情報統括装置に接続され、これら複数の保護継電器の設定値および故障関連情報が、前記情報統括装置に一括表示されるものである。
【発明の効果】
【０００７】
この発明による比率差動継電システムは、各所に配置された複数の保護継電器の各々が情報統括装置に接続され、これら複数の保護継電器の設定値および故障関連情報が、前記情報統括装置に一括表示されるので、各所に点在する保護継電器の設定値確認、確認後の設定値設定のために監視者が保護継電器の設置現場に出向いて煩わしい操作をする必要がなく情報統括装置にて各保護継電器の設定値を一括表示できる。
【図面の簡単な説明】
【０００８】
【図１】この発明の実施の形態１を示す図で、保護継電システムの一例を示すシステム構成図である。
【図２】この発明の実施の形態１を示す図で、各場所の保護継電器の設定値を一つの共通画面に一括表示した事例を示す図である。
【図３】この発明の実施の形態２を示す図で、事故時の波形解析結果を画面に表示した事例を示す図である。
【図４】この発明の実施の形態３を示す図で、整定値の推奨地と実際の整定値とを一つの共通画面に横並びで比較して表示した事例を示す図である。
【発明を実施するための形態】
【０００９】
実施の形態１．
以下、この発明の実施の形態１を発電所内の保護継電システムに適用した場合の事例について図１および図２に基づいて説明する。
図１に例示のように、本実施の形態１の保護継電システムは、主変圧器用の各保護継電器１、所内変圧器用の各保護継電器２、励磁変圧器用の各保護継電器３、発電機用の保護継電器４、制御装置および遮断器５、発電所内に点在する各保護継電器の設定値を一括表示するための情報統括装置６、保護対象である主変圧器７、継電器に電流を入力するための変流器８で構成されている。情報統括装置６と各保護継電器１，２，３，４とは発電所内のネットワークや専用通信線で接続されている。
【００１０】
なお、主変圧器用の各保護継電器１、所内変圧器用の各保護継電器２、励磁変圧器用の各保護継電器３、および発電機用の各保護継電器４における各保護継電器とは、例えば、５１保護継電器（過電流保護継電器）、６４保護継電器（地絡過電圧継電器）、８７保護継電器（比率差動保護継電器）、などの各保護継電器である。
【００１１】
次に動作について説明する。
図１、図２において、主変圧器用の各保護継電器１は主変圧器７を例えば事故時に保護し、所内変圧器用の各保護継電器２は主変圧器７以外の所内変圧器を例えば事故時に保護し、励磁変圧器用の各保護継電器３は励磁変圧器を例えば事故時に保護し、発電機用の保護継電器４は発電機を例えば事故時に保護し、制御装置および遮断器５は例えば事故時に作動して前記保護を行う。
【００１２】
発電所内に点在する各保護継電器（各保護継電器１，２，３，４等）の設定値（図示の例のように、各保護継電器の整定タップ値、動作時限、短絡事故時などの高速動作対応のＨＯＣ整定値、等）を、図２に図示の例のように、情報統括装置６の設定値一覧表示画面９に一括表示する。
【００１３】
図２において、各場所に点在する保護継電器の設定値や計測情報を情報統括装置に一括表示することができることにより、設定値を一括して容易に確認することができる。これまでの汎用形継電器では小型の表示画面(2cm×5cm程度)に各設定値を表示させるために操作ボタンを何回も押す必要があったが、情報統括装置６にて設定値一覧表示画面９に一括表示することで設定値確認の際、煩わしかった操作を省力することが可能となる。
【００１４】
実施の形態２．
本実施の形態２を図３により説明する。
これまでは、事故発生時は各現場に点在する汎用形保護継電器の波形データを取り出し、人間系で波形比較データを作成する必要があった。これに対し、本実施の形態では、図１に例示の情報統括装置６により、人間系は不要となり、事故発生時、事故波形を情報統括装置６に各保護継電器からデータを取り込んで情報統括装置６で波形解析を実行し、図３に例示のように情報統括装置６の波形解析表示画面１０に、例えば、電流に関する継電器定格値、発電機電流特性、主変圧器電流特性、等を比較できるように表示することが可能である。
【００１５】
実施例３．
本実施の形態３を図４により説明する。
図１に例示の情報統括装置６は、これまでの実績のある設定値のデータベースを所持しており、そのデータベースに基づき情報統括装置６にて図４に例示のように保護継電器整定値（設定値）（各保護継電器の整定タップ値、動作時限、短絡事故時などの高速動作対応のＨＯＣ整定値、等）の推奨値を、情報統括装置６の設定値比較画面１１に表示できる。各保護継電器の実際の整定値（設定値）である実整定の値（各保護継電器の整定タップ値、動作時限、短絡事故時などの高速動作対応のＨＯＣ整定値、等）を、情報統括装置６の表示画面１１に、前記推奨値と対比できるように表示できる。そして、前記実整定値が前記推奨値と例えば10%以上異なるようであれば警報ALMを発報し、試験員、監視員に確認を促すことが可能である。
【００１６】
なお、本発明は、その発明の範囲内において、各実施の形態を適宜、組み合わせ、変形、省略することができる。
なお、各図中、同一符合は同一または相当部分を示す。
【符号の説明】
【００１７】
１    主変圧器用保護継電器、          ２    所内変圧器用保継電器、
３    励磁変圧器用保護継電器、        ４    発電機用保護継電器、
５    制御装置および遮断器、          ６    情報統括装置、
７    主変圧器、                      ８    変流器、
９    情報統括装置の設定値一覧表示画面、
１０    情報統括装置の波形解析表示画面、
１１    情報統括装置の設定値比較画面
【図１】
2017022954.tif 000003
【図２】
2017022954.tif 000004
【図３】
2017022954.tif 000005
【図４】
2017022954.tif 000006